(57)【要約】  多成分系の呼気のうちから特定の呼気マーカ物質を高精度で検出することができる化学物質センシング装置（２）、およびこれを備える化学物質センシングシステム（１）を提供する。本発明の化学物質センシング装置（２）は、導入分子篩膜（１６）および排出分子篩膜（１７）により３つの空間に分割されたチャンバ（１１）と、導入分子篩膜（１６）と排出分子篩膜（１７）とにより挟まれた空間のチャンバ（１１）に接する化学物質センシング素子（１０）とを備えることを特徴とする。
2010106898.tif 000002
【特許請求の範囲】
【請求項１】
導入分子篩膜（１６）および排出分子篩膜（１７）により３つの空間に分割されたチャンバ（１１）と、
前記導入分子篩膜（１６）と前記排出分子篩膜（１７）とにより挟まれる空間のチャンバ（１１）に接する化学物質センシング素子（１０）とを備える、化学物質センシング装置（２）。
【請求項２】
前記導入分子篩膜（１６）および前記排出分子篩膜（１７）は、ゼオライトからなる、請求の範囲１に記載の化学物質センシング装置（２）。
【請求項３】
前記導入分子篩膜（１６）の平均細孔径は、前記排出分子篩膜（１７）の平均細孔径よりも大きい、請求の範囲１に記載の化学物質センシング装置（２）。
【請求項４】
前記導入分子篩膜（１６）の外表面および前記排出分子篩膜（１７）の外表面に、加熱装置（１８）を備える、請求の範囲１に記載の化学物質センシング装置（２）。
【請求項５】
前記化学物質センシング素子（１０）は、ナノ構造体センサである、請求の範囲１に記載の化学物質センシング装置（２）。
【請求項６】
前記ナノ構造体センサは、そのセンシング部（１０４）が金属錯体により表面修飾したカーボンナノチューブから構成される、請求の範囲５に記載の化学物質センシング装置（２）。
【請求項７】
請求の範囲１に記載の化学物質センシング装置（２）と、
前記化学物質センシング装置（２）に気体を導入するための気体導入経路（１３）と、
前記気体導入経路（１３）と前記化学物質センシング装置（２）との間に配置され、かつ前記気体導入経路（１３）からの気体の水分を吸着するための水分除去部（１２）と、
前記化学物質センシング装置（２）から気体を排出するための気体排出経路（１４）とを備える、化学物質センシングシステム（１）。
【請求項８】
請求の範囲１に記載の化学物質センシング装置（２）と、前記水分除去部（１２）との間には、逆止弁（１５）が設置され、前記化学物質センシング装置（２）と、前記気体排出経路（１４）との間には、逆止弁（１５）が設置される、請求の範囲７に記載の化学物質センシングシステム（１）。
【請求項９】
前記水分除去部（１２）は、中空糸を備える、請求の範囲７に記載の化学物質センシングシステム（１）。
【請求項１０】
前記中空糸は、フッ素樹脂からなる、請求の範囲９に記載の化学物質センシングシステム（１）。
【発明の詳細な説明】
【技術分野】
【０００１】
本発明は、化学物質センシング装置およびそれを備える化学物質センシングシステムに関し、特に特定の呼気マーカ物質を選択的に検出することができる化学物質センシング装置およびそれを備える化学物質センシングシステムに関する。
【背景技術】
【０００２】
現在、日本では、医療費の増大、医療保険制度崩壊等が危惧されており、医療に頼ることを未然に防ぐことができる予防医療社会の実現が急務である。そこで、予防医療社会を実現するために、個人で手軽かつ迅速に健康状態をチェックできるシステムを各人が備える必要があると言われている。【０００３】
個人で手軽かつ迅速に健康状態を把握するために用いられる生体検体としては、血液、尿、汗、唾液、呼気等が一般的に知られている。中でも呼気は、体内の肺胞の空気と毛細血管中の血液とが非常に薄い膜で隔てられているだけであることから、疾病に関する生体情報を多く含んでいることが知られている。【０００４】
そこで、ヒトの呼気中に微量に存在する揮発性物質の濃度を測定することにより、その揮発性物質の濃度の測定データを得て、当該測定データに基づいて健康状態（代謝反応、生化学的病態メカニズム等）を把握する方法の研究が進められている。呼気は、非侵襲に生体情報を検出することができることから、手軽で迅速に健康状態をチェックできるシステムとして汎用化が期待されている。【０００５】
たとえば、呼気に含まれるエタン、ペンタン、Ｈ2Ｏ2等は酸化ストレスとの相関が高く、呼気中のこれらの濃度が高くなると脂質酸化、喘息、気管支炎等という症状を持つ傾向がある。また、呼気に含まれるＮＯ、ＣＯ、Ｈ2Ｏ2は肺疾患との相関が高く、呼気中のこれらの濃度が高くなると喘息、慢性閉塞性肺炎等の症状を持つ傾向がある。また、呼気に含まれるＨ2、カーボンアイソトープは胃腸疾患との相関が高く、呼気中のこれらの濃度が高くなると消化不良、胃炎、十二指腸潰瘍等の症状が見られる。【０００６】
また、呼気に含まれるアセトンは代謝異常との相関が高く、呼気中のアセトン濃度が高くなると糖尿病の症状を持つ傾向があるのに対し、呼気に含まれるアセトン濃度が低くなると、メタボリック症候群の傾向がある。【０００７】
このように被験者の呼気に含まれるガスの濃度を検出することにより、被験者が抱える症状の傾向を未然に把握することができる。上述のように疾病に連動して呼気中の濃度が顕著に増減する特有ガスのことを「呼気マーカ物質」と定義する。このような呼気マーカ物質の濃度を把握することにより、疾病傾向を診断する呼気測定機器が近年いくつか開発されている。【０００８】
たとえば特開２００１−３４９８８８号公報（以下「特許文献１」とも記す）には、ガスセンサに広く用いられている酸化物半導体センサを用いて、呼気に含まれる特定の呼気マーカ物質を検知する呼気測定装置が開示されている。この呼気測定装置に用いる酸化物半導体センサは、その表面がＳｎＯ2またはＺｎＯ等のｎ型半導体からなるものである。このｎ型半導体が呼気マーカ物質を吸着すると、呼気マーカ物質と酸素とが反応して電気抵抗が変化する。この電気抵抗の変化を測定することにより、呼気マーカ物質のうちの特定の呼気マーカ物質（たとえばアセトン）を検出するというシステムである。【０００９】
このように酸化物半導体センサは、反応する酸素量を参照することにより、呼気マーカ物質を特定するという性質のものである。このため、炭素数の多い呼気マーカ物質および不飽和度の高い呼気マーカ物質のように、反応する酸素量が多い呼気マーカ物質ほど高い精度で測定することができる。このような酸化物半導体センサを用いることにより、小型で、かつ特定の呼気マーカ物質を検出する呼気測定装置を提供することができる。【００１０】
通常呼気には８０％もの水分が含まれているが、このままの状態で呼気を酸化物半導体センサに導入すると、水分により酸化物半導体センサが劣化するという問題がある。また、呼気に水分を含んだままの状態では、水分が呼気マーカ物質の検出を阻害し、ｐｐｍ〜ｐｐｂレベルの低濃度の呼気マーカ物質を酸化物半導体センサが検出できないという問題もあった。【００１１】
そこで、水分を含むガスを精度よく測定するためには、特開平１１−２８１６０５号公報（以下、「特許文献２」とも記す）に開示されているような土壌中のガスを測定する水分除去手段が必要となる。特許文献２に示されるような水分除去手段を備えることにより、上述したような水分による測定精度の低下は回避することができる。【００１２】
しかしながら、特許文献１に示される酸化物半導体センサは、酸化に必要な酸素量が同程度の呼気マーカ物質を測定したときには同程度の感度となるものである。このため２００種類以上の呼気マーカ物質のうちから特定の呼気マーカ物質（たとえばアセトン）のみを選択的に検出することは原理的に不可能であった。【００１３】
また、上記の酸化物半導体センサは、３００℃程度の加熱をして呼気マーカ物質を燃焼させることにより、呼気マーカ物質を検出する。このため、加熱することにより呼気測定装置の消費電力が大幅にロスし、結果として呼気測定装置の充電の消耗が早くなり、呼気測定装置の利用時間が極めて短くなるという問題もあった。【００１４】
そこで、これらの問題を回避するために、上述の酸化物半導体センサ以外の呼気マーカ物質を検出するセンサとして、米国特許出願公開第２００７／００４８１８０号公報（以下「特許文献３」とも記す）には、カーボンナノチューブ（以下においては単に「ＣＮＴ」とも称する）に代表されるナノ構造体を用いたナノ構造体センサも開示されている。【００１５】
このようなＣＮＴを用いたナノ構造体センサは、超小型であって、低消費電力で、しかも超高感度のガスセンサであり、かつ非侵襲で呼気を測定できることから、次世代のセンサとしての期待が寄せられている。
【先行技術文献】
【特許文献】
【００１６】
【特許文献１】特開２００１−３４９８８８号公報
【特許文献２】特開平１１−２８１６０５号公報
【特許文献３】米国特許出願公開第２００７／００４８１８０号公報
【発明の概要】
【発明が解決しようとする課題】
【００１７】
上記のようなナノ構造体センサを用いることにより、２００種類以上の呼気マーカ物質のうちから特定の呼気マーカ物質を検出することができる。しかし、その検出の精度は未だ十分なものとは言えず、さらに高い精度で呼気マーカ物質を検出することが要求されている。【００１８】
また、呼気マーカ物質とナノ構造体センサとの選択性を高めることにより、呼気に含まれる他成分の呼気マーカ物質のうちから特定の呼気マーカ物質を検出することも要求されている。【００１９】
本発明は、このような現状に鑑みてなされたものであって、その目的とするところは、特定の呼気マーカ物質をより高精度に検出することができる化学物質センシング装置、およびそれを備えた化学物質センシングシステムを提供することである。
【課題を解決するための手段】
【００２０】
本発明者らは、呼気が化学物質センシング素子に到達する前に、呼気に含まれる測定不要な呼気マーカ物質および水分を排除することにより、特定の呼気マーカ物質を高精度に検出することができるという着想を得た。そして当該着想に基づき化学物質センシング装置の構成について種々の検討を重ねた。【００２１】
その結果、チャンバ内に導入分子篩膜と排出分子篩膜とを設けることにより、測定する必要のない呼気マーカ物質および水分を効率的に排除し、もって特定の呼気マーカ物質をより高精度で検出することができることを見出した。【００２２】
また、化学物質センシングシステムに備えられる水分除去部に中空糸を配置することにより、呼気に含まれる水分を効率的に除去することができ、もって呼気に含まれる低濃度の呼気マーカ物質を検出することができることを見出し、本発明の完成に至った。【００２３】
すなわち、本発明の化学物質センシング装置は、導入分子篩膜および排出分子篩膜により３つの空間に分割されたチャンバと、導入分子篩膜と排出分子篩膜とにより挟まれる空間のチャンバに接する化学物質センシング素子とを備えることを特徴とする。【００２４】
また、導入分子篩膜および排出分子篩膜は、ゼオライトからなることが好ましい。また、導入分子篩膜の平均細孔径は、排出分子篩膜の平均細孔径よりも大きいことが好ましい。【００２５】
また、導入分子篩膜の外表面および排出分子篩膜の外表面に、加熱装置を備えることが好ましい。【００２６】
また、化学物質センシング素子は、ナノ構造体センサであることが好ましい。また、ナノ構造体センサは、そのセンシング部が金属錯体により表面修飾したカーボンナノチューブから構成されることが好ましい。【００２７】
本発明は、上述の化学物質センシング装置と、化学物質センシング装置に気体を導入するための気体導入経路と、気体導入経路と化学物質センシング装置との間に配置され、かつ気体導入経路からの気体の水分を吸着するための水分除去部と、化学物質センシング装置から気体を排出するための気体排出経路とを備える化学物質センシングシステムでもある。【００２８】
化学物質センシング装置と水分除去部との間には、逆止弁が設置され、化学物質センシング装置と気体排出経路との間には、逆止弁が設置されることが好ましい。水分除去部は、中空糸を備えることが好ましい。当該中空糸は、フッ素樹脂からなることが好ましい。
【発明の効果】
【００２９】
本発明によれば、多成分系の呼気から特定の呼気マーカ物質を高精度で検出することができる化学物質センシング装置、およびこれを備える化学物質センシングシステムを提供することができる。【００３０】
本発明の化学物質センシング装置によれば、低分子および高分子の呼気マーカ物質を排除することができ、化学物質センシング素子の劣化を抑制することができる。【００３１】
また、疾患に依存した生体情報を検出することができ、非侵襲、超小型、低消費電力、超高感度、および高選択性の化学物質センシング素子を提供することができる。これにより使用時にユーザーのストレスが少ない化学物質センシング装置、およびこれを備えた化学物質センシングシステムを提供することができる。
【図面の簡単な説明】
【００３２】
【図１】本発明の化学物質センシングシステムの一形態を示す模式図である。
【図２】（ａ）本発明の化学物質センシング装置に用いられる基材の形状の一例を示す図であり、（ｂ）は、（ａ）とは別の基材の形状の一例を示す図である。（ｃ）本発明の化学物質センシング装置において、排出分子篩膜を含む面でチャンバを切断したときの模式的な断面図である。
【図３】化学物質センシング素子として用いることができる半導体センサの一例を示す模式図である。
【図４】金属錯体により表面修飾されたカーボンナノチューブから構成されるセンシング部を備えたナノ構造体センサの一例を示す模式図である。
【図５】（ａ）実施例１の化学物質センシング装置から排出されたガスをＧＣ−ＭＳで測定したときの結果を示すグラフであり、（ｂ）比較例１の化学物質センシング装置から排出されたガスをＧＣ−ＭＳで測定したときの結果を示すグラフである。
【図６】実施例１および比較例１の化学物質センシング装置に、サンプルガスを導入したときの抵抗変化を示すグラフである。
【図７】実施例２および比較例２の化学物質センシングシステムに、サンプルガスを導入したときの抵抗変化を示すグラフである。
【図８】本発明の化学物質センシングシステムと端末装置との接続方法の一形態を示す模式的な図である。
【図９】本発明の化学物質センシングシステムと端末装置との接続方法の他の一形態を示す模式的な図である。
【図１０】（ａ）および（ｂ）は、端末装置の表示画面を拡大した図である。
【発明を実施するための形態】
【００３３】
以下、図面に基づいて本発明の実施の形態を説明する。以下の図面において同一または相当する部分には、同一の参照符号を付することとし、その説明は繰り返さないものとする。なお、図面における長さ、大きさ、幅等の寸法は、図面の明瞭化および簡略化のため適宜に変更されたものであり、実際の寸法を表すものではない。
【００３４】
＜化学物質センシングシステム＞
図１は、本発明の化学物質センシングシステムの構造を示す模式図である。本発明の化学物質センシングシステム１は、図１に示されるように、化学物質センシング装置２と、化学物質センシング装置２に気体を導入するための気体導入経路１３と、気体導入経路１３と化学物質センシング装置２との間に配置され、かつ気体導入経路１３からの気体の水分を吸着するための水分除去部１２と、化学物質センシング装置２から気体を排出するための気体排出経路１４とを備えることを特徴とする。
【００３５】
このように本発明の化学物質センシングシステム１において、呼気は気体導入経路１３から水分除去部１２を通って、化学物質センシング装置２内に導入される。そして、当該呼気は、化学物質センシング装置２のチャンバ１１内で、特定の呼気マーカ物質を検出した後に、気体排出経路１４を通じて外気に放出される。このような気体導入経路１３および気体排出経路１４に用いられる材料は、軽量で適切な耐久性を持つものであれば特に限定されることはなく、たとえばアクリル製のもの、ポリプロピレン製のもの等を用いることができる。
【００３６】
ここで、化学物質センシング装置内に呼気を供給する方法としては、マウスピースのようなものを使用して化学物質センシング装置内に呼気を供給する方法が一般的である。このようにマウスピースを用いて呼気を供給する場合、水分除去部１２と化学物質センシング装置２との間には、化学物質センシング装置２内への呼気の供給を一定にするための逆止弁１５を設けることが好ましい。また、化学物質センシング装置２と気体排出経路１４との間には、化学物質センシング装置２から外部に速やかに呼気を排出できるように逆止弁１５を設けることが好ましい。
【００３７】
このように逆止弁１５を設けることにより、化学物質センシング装置２内に所定の流速で呼気を供給することができる。これにより一定の圧力および流速で化学物質センシング装置２内に供給された呼気を分析することができ、特定の呼気マーカ物質を測定する精度を高めることができる。なお、化学物質センシング装置２内に呼気を導入する方法としては、マウスピースを用いた供給方法のみに限られるものではなく、たとえばテドラーバックに一旦採取した上で、当該テドラーバックから化学物質センシング装置２に呼気を供給してもよい。
【００３８】
このような逆止弁１５に用いられる材料は、適切な耐久性を有するものであれば特に限定されることはなく、たとえばテフロン（登録商標）等を用いることができる。
【００３９】
＜水分除去部＞
本発明の化学物質センシングシステム１は、化学物質センシング装置２と気体導入経路１３との間に水分除去部１２を設けることを特徴とする。水分除去部１２は、気体導入経路１３から導入された呼気中の水分を除去するために設けられるものである。このように化学物質センシングシステム１に水分除去部１２を設けることにより、呼気中に含まれる水分を除去することができる。そして、このように呼気に含まれる水分を除去することにより、ｐｐｍ〜ｐｐｂレベルの極めて低濃度の呼気マーカ物質を検知することができる。また、水分除去部１２を設けることにより、水分による化学物質センシング素子１０の劣化を抑制することもできる。
【００４０】
このような水分除去部１２は、中空糸、シリカゲル、塩化カルシウム等の吸水性を示すものを備えることが好ましい。これらの吸水性を示すものの中でも、中空糸は吸着型の水分除去機構ではないことから、呼気の圧力が損失することなく呼気中の水分を除去し、もって呼気を供給するユーザーの負担を軽減する。しかも、中空糸は、小型であって、他の呼気マーカ物質の着脱する懸念が少ないことからも有効である。
【００４１】
このような中空糸の材料は、耐熱性および耐薬品性を有するという観点から、フッ素樹脂を用いることが好ましい。また、中空糸は、呼気中の水分を効率的に除去するという観点から、０．１〜２．０ｍｍの間隔のらせん状の構造であることが好ましく、その中でも１．０ｍｍの間隔のらせん状の構造であることがより好ましい。
【００４２】
＜化学物質センシング装置＞
本発明の化学物質センシング装置２は、図１に示されるように、導入分子篩膜１６および排出分子篩膜１７により３つの空間に分割されたチャンバ１１と、導入分子篩膜１６と排出分子篩膜１７とにより挟まれた空間のチャンバに接して配置される化学物質センシング素子１０とを備えることを特徴とする。この導入分子篩膜１６および排出分子篩膜１７によりチャンバ１１が３つの空間に分割されたものとなる。
【００４３】
このようにチャンバ１１内に導入分子篩膜１６と排出分子篩膜１７とを備えることにより、化学物質センシング素子１０を含むチャンバ１１内の空間に、特定の分子径を有する呼気マーカ物質のみが濃縮されることとなり、化学物質センシング素子１０が特定の分子径を有する呼気マーカ物質を高精度で検出することができる。
【００４４】
これは、呼気に含まれる呼気マーカ物質のうち分子径の大きい呼気マーカ物質は、導入分子篩膜１６によりチャンバ１１内への透過が妨げられるとともに、分子径の小さい呼気マーカ物質は、排出分子篩膜１７を透過してチャンバ１１内から外部に排出され、化学物質センシング素子１０を含むチャンバ１１内の空間には、特定の分子径を有する呼気マーカ物質のみが残存するためである。
【００４５】
以下においては、化学物質センシング装置を構成する各部材を説明する。
（チャンバ）
チャンバ１１は、その内部に化学物質センシング素子１０を支持し、当該化学物質センシング素子１０を含む空間が特定の呼気マーカ物質のみを検出することができるように、導入分子篩膜１６および排出分子篩膜１７を備える中空部材である。チャンバ１１の表面のうちの一方の面には水分除去部１２を介して気体導入経路１３が接続されており、その他方の面には気体排出経路１４が接続されている。
【００４６】
このようなチャンバ１１の形状は、図１に示されるような円柱状のもののみに限られるものではなく、化学物質センシング素子１０を支持することができる中空部材であれば長方体、立方体、球体等であってもよい。また、チャンバ１１は、軽量で耐久性の高い材料により構成されることが好ましく、このような材料としては、たとえば、アクリル樹脂、ポリプロピレン樹脂等の樹脂材料を挙げることができる。
【００４７】
また、チャンバ１１は、化学物質センシング素子１０からのセンサ信号変化を送受信するために必要な構造を備える。ここでの「必要な構造」とは、たとえば化学物質センシング素子１０から接続された信号測定用導線１９を通す穴等を有することを意味する。このような構造にすることにより、センサ信号測定用の低電圧電源装置（図示せず）、デジタルマルチメータ（図示せず）、およびディスプレイ等の表示装置（図示せず）と、化学物質センシング素子１０とを導線により接続することができ、化学物質センシング素子１０が得た情報を外部へ出力することができる。
【００４８】
（導入分子篩膜）
導入分子篩膜１６は、水分除去部１２からチャンバ１１内に導入される呼気のうち、分子径の大きな呼気マーカ物質が透過するのを防ぐために設けられるものである。このような導入分子篩膜１６は、機械的強度が強く、かつ耐圧性および耐熱性に優れるという観点から、ゼオライト膜を用いることが好ましく、ゼオライト膜の中でもＭＯＲ膜（平均細孔径：０．５６ｎｍ）、ＢＥＡ膜（平均細孔径：０．７６ｎｍ）、ＦＡＵ膜（平均細孔径：０．７２ｎｍ）、ＭＦＩ膜（平均細孔径：０．５６ｎｍ）のいずれかであることがより好ましい。
【００４９】
このような導入分子篩膜１６の平均細孔径は、排出分子篩膜１７の平均細孔径よりも大きいことが好ましく、０．５ｎｍ以上０．８ｎｍ以下であることが好ましく、０．５０ｎｍ以上０．５６ｎｍ以下であることがより好ましい。導入分子篩膜１６の平均細孔径が０．５ｎｍ未満であると化学物質センシング素子１０に呼気マーカ物質を十分に供給することができず、０．８ｎｍを超えると分子径の大きな呼気マーカ物質をも透過させることとなり、呼気マーカ物質の選択性が低下することとなる。また、導入分子篩膜１６の厚みは、５μｍ程度のものを用いることが好ましい。
【００５０】
また、導入分子篩膜１６と水分除去部１２との間のチャンバ１１に気体排出口２１を設けることが好ましい。これにより導入分子篩膜１６を透過しないような分子径の大きな呼気マーカ物質が、導入分子篩膜１６と水分除去部１２との間のチャンバ１１に残留することを防止することができる。気体排出口２１とチャンバ１１との接続には逆止弁１５を設置することが好ましい。これによりチャンバ１１内の圧力を一定に保ちつつ呼気を排出することができる。
【００５１】
（排出分子篩膜）
排出分子篩膜１７は、チャンバ１１から気体排出経路１４に排出する呼気のうち、分子径の小さな分子のみを気体排出経路１４に透過させるために設けられるものである。このような排出分子篩膜１７は、上述した導入分子篩膜１６と同様の観点からゼオライト膜であることが好ましく、ゼオライト膜の中でも、ＤＤＲ膜（平均細孔径：約０．４４ｎｍ）であることがより好ましい。排出分子篩膜１７の平均細孔径は、０．３６ｎｍ以上０．４４ｎｍ以下であることがより好ましい。また、排出分子篩膜１７の厚みは、５μｍ程度のものを用いることが好ましい。
【００５２】
このように導入分子篩膜１６および排出分子篩膜１７の平均細孔径を規定することにより、呼気マーカ物質のうちの分子径の大きな分子は導入分子篩膜１６を透過しない。また測定に用いない分子径の小さい分子は排出分子篩膜１７を通過する。このようにして検出に必要な呼気マーカ物質のみを化学物質センシング素子１０に供給し、その検出精度を高めることができる。
【００５３】
（基材）
基材２０は、呼気の供給および排出を妨げることなく、導入分子篩膜１６および排出分子篩膜１７を支持するために設けられるものである。すなわち、呼気がチャンバ１１内に高圧で導入されたとしても、チャンバ１１内に基材２０を設けることにより、導入分子篩膜１６および排出分子篩膜１７が気体排出経路１４側にずれることを防止することができる。
【００５４】
このような基材２０は、図１に示されるように、導入分子篩膜１６および排出分子篩膜１７の両方に各１個ずつ合計２個の基材２０を設けることが好ましい。そして、チャンバ１１内の導入分子篩膜１６の気体排出経路１４側に設けられることが好ましい。また、排出分子篩膜１７の気体排出経路１４側にも設けられることが好ましい。また、基材２０に用いられる材料は、軽量なものであれば特に限定されるものではなく、たとえばアクリル製、ポリプロピレン製等を用いることができる。
【００５５】
図２（ａ）および（ｂ）は、導入分子篩膜および排出分子篩膜を支持するための基材の模式的な図であり、図２（ｃ）は、排出分子篩膜を含む面でチャンバを切断したときの断面を示す図である。
【００５６】
本発明に用いられる基材２０は、図２（ａ）に示されるように、その内部に１つの穴が形成されたものであってもよいし、図２（ｂ）に示されるように、その内部にメッシュ状に９個の穴が形成されたものであってもよい。このように基材２０は、呼気の通り道となる穴が設けられているものであれば、いかなるものでもよい。ただし、導入分子篩膜１６および排出分子篩膜１７をより安定して支持するという観点から、メッシュ状の形状であることが好ましい。
【００５７】
（加熱装置）
加熱装置１８は、化学物質センシング装置２に設置される導入分子篩膜１６および排出分子篩膜１７に付着した呼気マーカ物質を脱離させるために設けられるものである。すなわち、加熱装置１８が導入分子篩膜１６および排出分子篩膜１７を温めることにより、導入分子篩膜１６および排出分子篩膜１７に吸着している呼気マーカ物質の脱着を行なうことができ、これにより呼気マーカ物質の測定精度を高めることができる。
【００５８】
また、化学物質センシング装置２を長期間使用して、導入分子篩膜１６および排出分子篩膜１７の分子篩としての性能が低下したときにも、加熱装置１８を加熱すれば、それらの性能を回復させることもできる。
【００５９】
このような加熱装置１８は、導入分子篩膜１６および排出分子篩膜１７の外表面に配置されていることが好ましく、図２（ｃ）に示されるように、導入分子篩膜１６および排出分子篩膜１７の外側面を囲むように配置されることがより好ましい。このように加熱装置１８を配置することにより、導入分子篩膜１６および排出分子篩膜１７に均一に温度を加えることができ、不均一に呼気マーカ物質が脱着されるのを抑制することができる。
【００６０】
また、導入分子篩膜１６側のチャンバ１１の側面に気体排出口２１を設けることが好ましい。このような位置に気体排出口２１を設けることにより、分子系の大きい分子を含む呼気を外部に排出することができる。
【００６１】
（化学物質センシング素子）
化学物質センシング素子１０は、特定の呼気マーカ物質を選択的に検出することができるセンサである。そして、化学物質センシング素子１０は、導入分子篩膜１６と排出分子篩膜１７とに挟まれた空間のチャンバに接して配置されるものである。
【００６２】
図１においては、チャンバ１１内に化学物質センシング素子１０が１つ設けられたものが示されているが、チャンバ１１内に設けられる化学物質センシング素子１０の個数は、１つに限られるものではなく、２つ以上設けてもよい。２つ以上の化学物質センシング素子１０を設けることにより、複数種の呼気マーカ物質を検出することができる。
【００６３】
また、化学物質センシング素子１０は、チャンバ１１内に設けるのみに限られるものではなく、気体排出経路１４に設けてもよい。気体排出経路１４に化学物質センシング素子１０を設けることにより、チャンバ１１内に設けられた化学物質センシング素子１０よりも、分子径の小さい呼気マーカ物質を検出することができる。
【００６４】
上記のような化学物質センシング素子１０は、半導体センサ、ナノ構造体センサ等を用いることができ、呼気マーカ物質の種類に応じて、半導体センサまたはナノ構造体センサのうちのいずれか一方もしくは両方を用いればよい。
【００６５】
図３は、本発明に用いられる化学物質センシング素子の一例を示す模式図である。化学物質センシング素子１０は、図３に示されるように、正極１１０と負極１１１とを有し、さらに正極１１０および負極１１１に接触するように配置されたセンシング部１０４と、正極１１０、負極１１１およびセンシング部１０４に接する絶縁体１０５と、定抵抗１０６とを有するものである。
【００６６】
ここで、センシング部１０４とチャンバ１１内に導入された呼気とを接触させる方法としては、たとえばボタン等を押すことにより、センシング部１０４とチャンバ１１との間に設けられた窓がある一定の時間開くような構造にすること等が挙げられる。このように測定するときのみ、チャンバ１１内の空気がセンシング部１０４に接触するような構造にすることにより、センシング部１０４の劣化を抑制することができる。
【００６７】
センシング部１０４は、特定の呼気マーカ物質を検出するために設けられるものである。センシング部１０４は、主に金属酸化物からなり、空気中の酸素を吸着する性質をもつ。この際、吸着酸素はセンシング部１０４中の自由電子をトラップしており、この状態ではセンシング部１０４の抵抗値は高い。当該センシング部１０４に対して、呼気マーカ物質を含む検体ガス、たとえばＣＯを含む空気を接触させると、センシング部１０４の表面の酸素とＣＯが反応してＣＯ2となり、吸着酸素がセンシング部１０４から離れる。つまり、センシング部１０４の表面の酸素が減少し、トラップされていた電子が解放されるため、これによりセンシング部１０４の抵抗値が減少する。この抵抗値の変動を、定抵抗１０６における電圧ＶRLの変化を測定することにより算出し、特定の呼気マーカ物質の有無および含有量を検出することができる。
【００６８】
このような半導体センサは、アセトン、ＣＯ、炭素原子を含む有機ガス（たとえば、炭化水素ガス、アルコール等）、Ｈ2等の可燃性ガス等の呼気マーカ物質を検出するためのセンサ素子として好適に用いることができる。
【００６９】
また、化学物質センシング素子１０に用いられるナノ構造体センサは、センシング部１０４がナノスケールの導電性物質により構成されること、および、センサ温度制御手段および絶縁体を伴わないこと以外はすべて上記半導体センサの構造と同一にすることができ、たとえばナノチューブ、ナノワイヤ、フラーレン等のような構造体を用いることができる。
【００７０】
そして、ナノスケールの導電性物質としては、後述するカーボンナノチューブの他に、カーボンナノファイバー等が好適に用いられる。カーボンナノチューブ等のナノスケールの導電性物質を、センシング部を構成する材料として用いることにより、小型、軽量で常温にて高感度な化学物質センシング素子１０を実現することができる。
【００７１】
カーボンナノチューブから構成されたセンシング部を備えるナノ構造体センサにおいて、当該センシング部１０４は、表面修飾を施したカーボンナノチューブの集合体１０８からなる。このセンシング部に対して、呼気マーカ物質を含む呼気を接触させると、センシング部の表面に呼気マーカ物質が吸着し、これによりナノ構造体センサ全体の抵抗値が変化する。この抵抗値の変動を、定抵抗における電圧ＶRLの変化を測定することにより算出し、呼気中の呼気マーカ物質の有無および含有量を明らかにすることができる。
【００７２】
カーボンナノチューブから構成されるセンシング部の作製方法としては、フィルム状カーボンナノチューブを溶媒中に分散させた後、メンブレンフィルタなどでろ過して作製する方法、マイクロ波プラズマＣＶＤ装置などを用いて基板上にカーボンナノチューブを直接成長させる方法等がある。
【００７３】
また、ナノ構造体センサのセンシング部が金属錯体により表面修飾されたカーボンナノチューブから構成されるものを用いることも有効である。カーボンナノチューブに金属錯体による表面修飾を施すことにより、特定の呼気マーカ物質に対する吸着選択性をさらに向上させることができ、これにより特定の呼気マーカ物質の検出精度をより向上させることができる。
【００７４】
図４は、金属錯体により表面修飾されたカーボンナノチューブから構成されるセンシング部を備えたナノ構造体センサの一例を示す模式図である。本発明におけるナノ構造体センサは、図４に示されるように、正極１１０、負極１１１からなる２つの電極；当該２つの電極に接触するように配置された、呼気マーカ物質を検出する部位であるセンシング部１０４；および定抵抗１０６からなる。センシング部１０４は、金属錯体１０９により表面修飾されたカーボンナノチューブの集合体からなる。このセンシング部１０４に対して、呼気マーカ物質を含む検体ガスを接触させると、センシング部１０４の金属錯体１０９の一部に特定の呼気マーカ物質が選択的に吸着し、これによりナノ構造体センサ全体の抵抗値が変化する。この抵抗値の変動を、定抵抗１０６における電圧ＶRLの変化を測定することにより算出し、呼気中の呼気マーカ物質の有無および含有量を明らかにすることができる。
【００７５】
上記の金属錯体は、特定の呼気マーカ物質を選択的に吸着するものが好ましい。すなわちたとえば、金属錯体としては、一酸化窒素を選択的に吸着するコバルト（ＩＩ）フタロシアニン；一酸化炭素を選択的に吸着する鉄（ＩＩ）フタロシアニン；ペンタンを吸着する銅（ＩＩ）フタロシアニン；アセトンを選択的に吸着するマンガン（ＩＩ）フタロシアニンなどを挙げることができる。
【００７６】
センシング部１０４の作製方法としては、あらかじめカーボンナノチューブに金属錯体を付着、および含有させ、該ナノチューブを溶媒中に分散させた後、メンブレンフィルタなどでろ過して作製する方法の他、マイクロ波プラズマＣＶＤ装置などを用いて基板上にカーボンナノチューブを直接成長させた後、金属錯体を含む溶液をインクジェット等により噴霧して塗布する方法などがある。
【００７７】
（呼気マーカ物質）
本発明の化学物質センシング装置は、呼気に含まれる約２００種以上の呼気マーカ物質のうちから、特定の呼気マーカ物質を検出するためのものである。生体情報を示す呼気マーカ物質としては、一酸化窒素、一酸化炭素、メチルメルカプタン、エタン、ペンタン、アセトン、アンモニア等を挙げることができる。上記の呼気マーカ物質の中でも、アセトンは、脂質の燃焼具合、糖尿病等を把握することができる。
【００７８】
以下、実施例を挙げて本発明をより詳細に説明するが、本発明はこれらに限定されるものではない。
【００７９】
＜化学物質センシング装置＞
≪検討１：導入分子篩膜および排出分子篩膜の効果≫
（実施例１）
実施例１では、図１に示される化学物質センシング装置２を作製した。実施例１の化学物質センシング装置２は、チャンバ１１内に導入分子篩膜１６として厚み５μｍのＭＦＩ膜（平均細孔径：０．５６ｎｍ）を備え、排出分子篩膜１７として厚み５μｍのＤＤＲ膜（平均細孔径：０．４４ｎｍ）を備えたものである。また、この化学物質センシング装置に用いられる化学物質センシング素子１０のセンシング部には、アセトンと特異的に吸着するマンガンフタロシアニンを修飾したナノ構造体センサを用いた。
【００８０】
まず、化学物質センシング装置２のチャンバ１１に水分を４０％含むＮ2ガスを４分間暴露した。そして、化学物質センシング素子１０とチャンバ１１とを隔てていた窓を開放し、化学物質センシング素子１０の抵抗変化を１分間測定した。
【００８１】
次に、アセトン１５ｐｐｍ、エタノール３２ｐｐｍ、メタノール２７ｐｐｍ、および酢酸５ｐｐｍを含む窒素ガスをベースガスとして、当該ベースガスに４０％の水分を含むサンプルガスを２５０ｍＬ／分の流量で４分間、気体導入経路１３から化学物質センシング装置２に導入した。そして、化学物質センシング素子１０とチャンバ１１とを隔てていた窓を開放して化学物質センシング素子１０の抵抗変化を１分間測定した。
【００８２】
なお、上記の化学物質センシング素子１０の抵抗変化は、定電圧電源装置（製品名：デジタルマルチメータ（アジレント製））を用いて測定した。また、気体排出経路１４から排出されたガスを採取し、質量分析法ガスクロマトグラフィ（ＧＣ−ＭＳ：Gas  Chromatography‐Mass  Spectroscopy  製品名：ＪＭＳ−Ｋ９（ＪＥＯＬ製））を用いて当該ガスの分析を行なった。
【００８３】
（比較例１）
比較例１の化学物質センシング装置は、実施例１の化学物質センシング装置に備えられる、導入分子篩膜１６および排出分子篩膜１７を除いた他は、実施例１と同様の化学物質センシング装置を用いた。そして、比較例１の化学物質センシング装置に対しても、実施例１と同様の方法により抵抗変化を測定するとともに、気体排出経路１４から排出されたガスの分析を行なった。
【００８４】
図５（ａ）は、実施例１の化学物質センシング装置の気体排出経路から排出されたガスの質量分析法ガスクロマトグラフィの測定結果を示すグラフであり、図５（ｂ）は、比較例１の化学物質センシング装置の気体排出経路から排出されたガスの質量分析法ガスクロマトグラフィの測定結果を示すグラフである。
【００８５】
図５（ａ）および（ｂ）のスペクトルを対比してみると、図５（ｂ）のスペクトルは、図５（ａ）のスペクトルでは検出されなかったアセトンおよび酢酸のピークが検出された。この結果から、実施例１の化学物質センシング装置は、導入分子篩膜および排出分子篩膜を備えることにより、アセトンおよび酢酸はチャンバ内に留まったために、図５（ａ）のスペクトルでアセトンおよび酢酸のピークが検出されなかったものと考えられる。
【００８６】
また、図５（ａ）および（ｂ）のスペクトルにおいて、図５（ａ）のスペクトルの方が、より鋭くメタノールおよびエタノールのピークを検出した。このことから、実施例１の化学物質センシング装置は、比較例１の化学物質センシング装置よりもメタノールおよびエタノールを選択的に排除しているといえる。
【００８７】
図６は、実施例１および比較例１の化学物質センシング装置に備えられる化学物質センシング素子の抵抗変化を示すグラフである。ここで、図６の横軸は時間（秒）を示し、縦軸は化学物質センシング素子の電気抵抗変化を示している。実施例１および比較例１の化学物質センシング素子の抵抗変化は、図６に示されるように、水分４０％を含む窒素ガスを導入したときには差異が見られなかったのに対し、水分４０％を含むサンプルガスを導入したときの実施例１の化学物質センシング素子は、比較例１の化学物質センシング素子よりも抵抗変化が大きかった。
【００８８】
この理由は、実施例１の化学物質センシング装置に導入分子篩膜および排出分子篩膜が設けられていることにより、チャンバ内に測定対象のアセトンが濃縮されることとなり、実施例１のナノ構造体センサが、比較例１のそれよりもアセトンを選択的に吸着したことによるものと考えられる。
【００８９】
また、本実施例および比較例の結果から、導入分子篩膜および排出分子篩膜に用いられるゼオライト膜の種類および組み合わせを代えることにより、アセトン以外のガスに関しても実施例１のアセトンと同様に、チャンバ内に留めることができるようになるものと考えられる。
【００９０】
（実施例２）
＜化学物質センシングシステム＞
≪検討２：中空糸の効果≫
実施例２は、図１に示される化学物質センシングシステムを作製した。当該化学物質センシングシステム１は、実施例１の化学物質センシング装置２に対し、さらに化学物質センシング装置２に気体を導入するための気体導入経路１３と、気体導入経路１３からの気体の水分を吸着するための水分除去部１２と、気体を排出するための気体排出経路１４とを備えたものである。なお、水分除去部１２には、１．０ｎｍの間隔のらせん状の構造をした中空糸を設け、当該中空糸は、フッ素樹脂からなるものを用いた。
【００９１】
このような実施例２の化学物質センシングシステムに対し、水分を８５％含む窒素ガスと、水分を含まない窒素ガスとを交互に各１分ずつ、いずれも２５０ｍＬ／分の流量で導入し、これらの検体を化学物質センシング素子に接触させた。
【００９２】
なお、上記の検体を導入している間は、化学物質センシング素子１０とチャンバ１１とを隔てている窓を開放し、呼気マーカ物質が化学物質センシング素子１０に接触するようにした。このようにして化学物質センシング素子１０の抵抗変化を確認した。なお、抵抗変化は、実施例１と同一の装置を用いて同様の方法により測定した。
【００９３】
（比較例２）
比較例２の化学物質センシングシステムは、実施例２の化学物質センシングシステムの水分除去部を除いたこと以外は、実施例２と同様の化学物質センシングシステムを用いた。また、比較例２の化学物質センシングシステムに導入する検体は、実施例２で用いた検体と同様のものを用い、同様の方法により抵抗変化を測定した。
【００９４】
図７は、実施例２および比較例２に用いられる化学物質センシング素子における電気抵抗変化を示すグラフである。このグラフの横軸は検体を導入してからの時間（秒）を示しており、縦軸は化学物質センシング素子の抵抗変化を示している。
【００９５】
実施例２に用いられる化学物質センシング素子は、水分を含まない窒素ガスを１分間導入した後に、８５％の水分を含む窒素ガスを１分間導入しても、これらの間での化学物質センシング素子に検出される抵抗に変化は見られなかった。
【００９６】
これに対し、比較例２に用いられる化学物質センシング素子は、水分を含まない窒素ガスを１分間導入した後に、８５％の水分を含む窒素ガスを１分間導入した場合に、これらの間での抵抗変化が見られた。
【００９７】
これは、比較例１の化学物質センシングシステムには、中空糸を有する水分除去部を有しないため、水分が除去されることなくチャンバ内に検体が導入されることとなり、水分を含まない窒素ガスを導入したときと、８５％の水分を含む窒素ガスを導入したときとで、抵抗変化に差異が生じたものと考えられる。
【００９８】
すなわち、実施例２の化学物質センシングシステムは、中空糸を有する水分除去部を設けることにより、水分を効率的に除去することができ、安定して呼気マーカ物質を測定できることが明らかとなった。
【００９９】
≪結果の表示≫
図８は、本発明の化学物質センシングシステムと端末装置との接続関係を示す模式図である。本発明の化学物質センシングシステム１は、図８に示されるように、化学物質センシングシステム１を構成する化学物質センシング素子と、端末装置２０３とは通信ケーブル２０２を介して接続することにより、化学物質センシング素子で検出したデータを端末装置２０３に送信することができる。
【０１００】
なお、化学物質センシング素子と、端末装置２０３との接続は、通信ケーブル２０２のような有線手段による電気的な接続のみに限られるものではなく、無線手段（たとえばBluetooth等）による通信により接続してもよい。このような通信手段により得られた測定値を基に健康状態を判断された結果が、端末装置２０３のディスプレイ２０１に表示されることとなる。
【０１０１】
図９は、本発明の化学物質センシングシステムと端末装置との接続関係を示す模式図である。本発明の化学物質センシングシステム１と接続する端末装置２０３は、図８に示されるようなノート型パソコンのみに限られるものではなく、結果を表示できるディスプレイを持つ電子機器であればどのようなものであってもよく、たとえば図９に示されるような携帯電話であってもよい。
【０１０２】
図１０（ａ）および（ｂ）は、化学物質センシング素子１０が呼気マーカ物質を検出した結果を表示したディスプレイの模式図である。
【０１０３】
呼気マーカ物質の濃度は、予め既知の濃度で作成した特性値に対する検量線を用いて算出される。すなわち、当該特性値は（ピークトップのコンダクタンス−電気抵抗変化直前のコンダクタンス）／（電気抵抗変化直前のコンダクタンス）を百分率で表した値である。
【０１０４】
ディスプレイ２０１にはその算出したアセトン濃度を表示されるとともに、標準よりアセトン濃度が大きい値を示す場合、図１０（ａ）に示されるように、糖尿病の可能性等の注意を促す表示を行なう。一方、標準よりアセトン濃度が小さな値を示す場合、図１０（ｂ）に示されるように、運動を促す表示を行なう。このようにして被験者は自分の体調を容易に知ることができる。
【０１０５】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１０６】
本発明により、被験者の疾患に関与する生体情報を検出でき、従来に無かった非侵襲、超小型、低消費電力、超高感度、高選択性のユーザーに対する使用時のストレスが少ない化学物質センシングシステムを提供することができ、医療予防社会の実現に向けた着実な進歩が確認された。
【符号の説明】
【０１０７】
１  化学物質センシングシステム、２  化学物質センシング装置、１０  化学物質センシング素子、１１  チャンバ、１２  水分除去部、１３  気体導入経路、１４  気体排出経路、１５  逆止弁、１６  導入分子篩膜、１７  排出分子篩膜、１８  加熱装置、１９  信号測定用導線、２０  基材、２１  気体排出口、１０４  センシング部、１０５  絶縁体、１０６  定抵抗、１０８  集合体、１０９  金属錯体、１１０  正極、１１１  負極、２０１  ディスプレイ、２０２  通信ケーブル、２０３  端末装置。
【図１】
2010106898.tif 000003
【図２】
2010106898.tif 000004
【図３】
2010106898.tif 000005
【図４】
2010106898.tif 000006
【図５】
2010106898.tif 000007
【図６】
2010106898.tif 000008
【図７】
2010106898.tif 000009
【図８】
2010106898.tif 000010
【図９】
2010106898.tif 000011
【図１０】
2010106898.tif 000012
【国際調査報告】
2010106898.tif 000013
2010106898.tif 000014